(57)【要約】【課題】ポンプケースとモータケースとの接合部の小径化をすることができる電動ポンプを得る。【解決手段】内部にインペラ１２及びモータ１８を備え、かつポンプケース１６とモータケース２２とが別体構造とされた電動ポンプ１０において、ポンプケース１６に設けられたテーパ部４０とモータケース２２に設けられたテーパ６０とがモータ１８の出力軸７６の軸芯方向にテーパ嵌合されるように構成した。これにより、ポンプケース１６とモータケース２２との接合部９８が電動ポンプ１０の径方向外側に突出することが抑制され、ポンプケース１６とモータケース２２との接合部９８の小径化をすることができる。【選択図】図１
2013072344.tif 000002
【特許請求の範囲】
【請求項１】
インペラを回転可能に収容することにより流入した流体を圧送するポンプ部の外郭を形成するポンプケースと、
前記インペラを回転させることにより前記ポンプ部を駆動するモータを収容するモータケースと、
前記ポンプケースに設けられたテーパ部と前記モータケースに設けられたテーパ部とが前記モータの出力軸の軸線方向にテーパ嵌合されると共に溶着にて接合される接合部と、
を備えた電動ポンプ。
【請求項２】
前記ポンプケース及び前記モータケースのうちいずれか一方の外周壁に形成された前記テーパ部は該外周壁の端部に向けて先細りに形成されると共に、前記ポンプケース及び前記モータケースのうちいずれか他方の内周壁に形成された前記テーパ部は該内周壁の端部に向けて末広がりに形成された請求項１記載の電動ポンプ。
【請求項３】
前記ポンプケースのテーパ部と前記モータケースのテーパ部とが圧入嵌合された請求項１又は請求項２記載の電動ポンプ。
【請求項４】
前記ポンプケース及び前記モータケースのうちいずれか一方には係止溝が設けられると共に、前記ポンプケース及び前記モータケースのうちいずれか他方には前記係止溝に係止されることにより前記ポンプケースのテーパ部と前記モータケースのテーパ部との嵌合が外れることを抑制する係止突起が設けられた請求項１乃至請求項３のいずれか１項に記載の電動ポンプ。
【請求項５】
前記接合部における溶着は、前記ポンプケースのテーパ部と前記モータケースのテーパ部との間の全周に連続して施された請求項１乃至請求項４のいずれか１項に記載の電動ポンプ。
【請求項６】
前記接合部はレーザー溶着にて接合された請求項１乃至請求項５のいずれか１項に記載の電動ポンプ。
【発明の詳細な説明】
【技術分野】
【０００１】
本発明は流体を圧送する電動ポンプに関する。
【背景技術】
【０００２】
従来、インペラを収容してポンプ部を形成するポンプケースと該ポンプ部を駆動するモータを収容するモータケースとを接合することにより構成された電動ポンプが知られている。例えば下記特許文献１には、ポンプケースの開口端から径方向外向きに延設して形成されたフランジ部とモータケースの開口端から径方向外向きに延設して形成されたフランジ部とが重ね合わされて接合されることにより構成された電動ポンプが開示されている。
【先行技術文献】
【特許文献】
【０００３】
【特許文献１】特開２０１０−１３９５０号公報
【発明の概要】
【発明が解決しようとする課題】
【０００４】
しかしながら、従来の構成では、ポンプケースとモータケースとの接合部が電動ポンプの径方向外側に突出しているため、電動ポンプの外径の小径化を妨げていた。
【０００５】
本発明は上記事実を考慮し、電動ポンプの外径の小径化をすることができる電動ポンプを得ることが目的である。
【課題を解決するための手段】
【０００６】
請求項１記載の本発明に係る電動ポンプは、インペラを回転可能に収容することにより流入した流体を圧送するポンプ部の外郭を形成するポンプケースと、前記インペラを回転させることにより前記ポンプ部を駆動するモータを収容するモータケースと、前記ポンプケースに設けられたテーパ部と前記モータケースに設けられたテーパ部とが前記モータの出力軸の軸線方向にテーパ嵌合されると共に溶着にて接合される接合部と、を備えたことを特徴とする。
【０００７】
請求項１記載の本発明では、ポンプケースのテーパ部とモータケースのテーパ部とが、モータの軸線方向にテーパ嵌合されるため、ポンプケースとモータケースとの接合部が電動ポンプの径方向外側に突出することが抑制される。換言すると、請求項１記載の本発明では、電動ポンプの外径の小径化をすることができる。
【０００８】
請求項２記載の本発明に係る電動ポンプは、請求項１記載の電動ポンプにおいて、前記ポンプケース及び前記モータケースのうちいずれか一方の外周壁に形成された前記テーパ部は該外周壁の端部に向けて先細りに形成されると共に、前記ポンプケース及び前記モータケースのうちいずれか他方の内周壁に形成された前記テーパ部は該内周壁の端部に向けて末広がりに形成されたことを特徴とする。
【０００９】
請求項２記載の本発明では、先細りに形成されテーパ部が末広がりに形成されたテーパ部に挿入及び嵌合される。従って、先細りに形成されテーパ部が末広がりに形成されたテーパ部に挿入される際に、モータケースに対するポンプケースの位置を正規の位置へガイドしながら、モータケースのテーパ部とポンプケースのテーパ部とを嵌合させることができる。
【００１０】
請求項３記載の本発明に係る電動ポンプは、請求項１又は請求項２記載の電動ポンプにおいて、前記ポンプケースのテーパ部と前記モータケースのテーパ部とが圧入嵌合されたことを特徴とする。
【００１１】
請求項３記載の本発明では、ポンプケースのテーパ部とモータケースのテーパ部とが圧入嵌合されているため、電動ポンプ内を流れる流体がポンプケースとモータケースとの接合部から漏れ出してしまうことをより一層抑制できる。換言すると、ポンプケースとモータケースとの接合部におけるシール性をより一層向上させることができる。
【００１２】
請求項４記載の本発明に係る電動ポンプは、請求項１乃至請求項３のいずれか１項に記載の電動ポンプにおいて、前記ポンプケース及び前記モータケースのうちいずれか一方には係止溝が設けられると共に、前記ポンプケース及び前記モータケースのうちいずれか他方には前記係止溝に係止されることにより前記ポンプケースのテーパ部と前記モータケースのテーパ部との嵌合が外れることを抑制する係止突起が設けられたことを特徴とする。
【００１３】
ところで、電動ポンプ内部には該電動ポンプ内部を流れる流体の圧力が生じている。この圧力を受けて、モータケースのテーパ部とポンプケースのテーパ部には、両者の嵌合が外れる方向への力が作用する。
【００１４】
しかしながら、請求項４記載の本発明では、係止突起が係止溝に係止されているため、モータケースのテーパ部とポンプケースのテーパ部との嵌合が外れる方向への力を上記係止突起及び係止溝に受け止めさせることができる。その結果、モータケースのテーパ部とポンプケースのテーパ部との嵌合が外れる方向への力を溶着部にて受け止める必要がないため、該溶着部におけるシール性の信頼性を向上させることができると共に、ポンプケースとモータケースとの接合強度の余裕度を向上させることができる。
【００１５】
請求項５記載の本発明に係る電動ポンプは、請求項１乃至請求項４のいずれか１項に記載の電動ポンプにおいて、前記接合部における溶着は、前記ポンプケースのテーパ部と前記モータケースのテーパ部との間の全周に連続して施されたことを特徴とする。
【００１６】
請求項５記載の本発明では、接合部における溶着が、ポンプケースのテーパ部とモータケースのテーパ部との間の全周に連続して施されているため、別途シール材を設けることなく、ポンプケースとモータケースとの接合部におけるシール性を確保することができる。
【００１７】
請求項６記載の本発明に係る電動ポンプは、請求項１乃至請求項５のいずれか１項に記載の電動ポンプにおいて、前記接合部はレーザー溶着にて接合されたことを特徴とする。
【００１８】
請求項６記載の本発明では、ポンプケースとモータケースとの接合部がレーザー溶着にて接合されているため、例えばオービタル溶着等により接合した場合と比べ、均一で高い溶着強度を得ることができる。その結果、溶着部におけるシール性や接合強度をさらに向上させることができる。
【図面の簡単な説明】
【００１９】
【図１】実施形態に係る電動ポンプを示す断面図である。
【図２】（Ａ）はポンプケースを示す断面図であり、（Ｂ）はポンプケースのテーパ部を示す拡大断面図である。
【図３】（Ａ）はモータケースを示す断面図であり、（Ｂ）はモータケースのテーパ部を示す拡大断面図である。
【図４】インペラが取付けられたモータを示す断面図である。
【図５】ポンプケースとモータケースとの接合部を示す拡大断面図である。
【図６】（Ａ）はポンプケースのテーパ部とモータケースのテーパ部とが圧入嵌合される前の状態を示す拡大断面図であり、（Ｂ）は圧入嵌合中の状態を示す拡大断面図であり、（Ｃ）は圧入嵌合が終了しかつ熱溶着が施された状態を示す拡大断面図である。
【図７】（Ａ）は係止突起が係止溝に係止される前の状態のポンプケースとモータケースとの接合部を示す拡大断面図であり、（Ｂ）はモータケースのテーパ部がポンプケースのテーパ部に嵌合される際の係止突起及び係止溝の状態を示す拡大断面図であり、（Ｃ）は係止突起が係止溝に係止された状態を示す拡大断面図である。
【発明を実施するための形態】
【００２０】
図１から図５を用いて、本発明の実施形態に係る電動ポンプについて説明する。
【００２１】
図１に示されるように、電動ポンプ１０は、インペラ１２を回転可能に収容することにより流入した流体を圧送するポンプ部１４を形成するポンプケース１６と、インペラ１２を回転させることによりポンプ部１４を駆動するモータ１８と、を備えている。また、電動ポンプ１０は、モータ１８及び該モータ１８を制御する回路部２０を収容するモータケース２２を備えている。さらに、電動ポンプ１０はカバー２４を備えている。
【００２２】
以下、電動ポンプ１０の主要な要素であるポンプケース１６、モータケース２２及びモータ１８について説明し、次いで本発明の要部であるポンプケース１６とモータケース２２との接合部９８について説明する。
【００２３】
（ポンプケース）
図２（Ａ）に示されるように、ポンプケース１６は液体が流入する入口管２６及び液体が流出する出口管２８を備え、かつ熱可塑性樹脂により形成された一体部品である。具体的には、ポンプケース１６は略円盤平板状の基部３０及び該基部３０の径方向内側の端部から後述するモータ１８の出力軸７６の軸線方向（矢印Ａ方向）に突出した膨出部３２を備えている。また、ポンプケース１６は、膨出部３２の径方向内側の端部から後述するインペラ１２の第１円盤部９６の形状に沿って延在するインペラガイド部３４を備えている。さらに、ポンプケース１６は、インペラガイド部３４の径方向内側の端部からモータ１８の出力軸７６の軸線方向（矢印Ａ方向）に延出して形成された管状の入口管２６を備えている。また、この入口管２６の端部には、ゴムホース等の配管の抜けを抑制する抜け止め突起３６が形成されている。さらに、ポンプケース１６は上記膨出部３２に接続されると共に、入口管２６の開口方向と直交する方向に延出形成された管状の出口管２８が形成されている。この出口管２８の端部には、ゴムホース等の配管の抜けを抑制する抜け止め突起３６が形成されている。
【００２４】
さらに、ポンプケース１６は、基部３０の径方向外側の端部からモータ１８の出力軸７６の軸線方向（矢印Ａ方向）と反対方向に延在する円筒状の開放端部３８を備えている。即ち、この開放端部３８はモータ１８の出力軸７６の軸線方向（矢印Ａ方向）と反対方向に開口している構成である。さらに、図２（Ｂ）に示されるように、開放端部３８における内周壁には、該開放端部３８の開口方向に末広がりとされたテーパ部４０が形成されている。
【００２５】
以上説明したポンプケース１６に後述するインペラ１２が収容されることにより、入口管２６から流入した流体を出口管２８に向けて圧送するポンプ部１４（図１参照）が形成される。
【００２６】
（モータケース）
図３（Ａ）に示されるように、モータケース２２は熱可塑性樹脂により形成された略円柱状の一体部品である。また、モータケース２２の一方の端部には後述するロータ７８を収容するための第１凹部４２が形成されており、モータケース２２の他方の端部には回路部２０を収容するための第２凹部４４が形成されている。
【００２７】
モータケース２２の一方の端部に形成された第１凹部４２は、モータ１８の出力軸７６の軸線方向（矢印Ａ方向）に開口した略Ｕ字状断面を成している。具体的には、第１凹部４２は、円形の底壁４６を備えており、この底壁４６の中心部にはモータ１８の出力軸７６の軸線方向（矢印Ａ方向）に突出形成された管状の軸支部４８が設けられている。後述するモータ１８の出力軸７６がこの軸支部４８に支持されることにより、モータ１８の出力軸７６が該軸支部４８を軸中心として回転可能となる構成である。また、第１凹部４２は、底壁４６の径方向外側の端部からモータ１８の出力軸７６の軸線方向（矢印Ａ方向）に延在する内周壁５０を備えている。さらに、第１凹部４２は、内周壁５０の端部から該内周壁５０の径方向外側に延在する第１インペラガイド壁５２及び該第１インペラガイド壁５２の端部からモータ１８の出力軸７６の軸線方向（矢印Ａ方向）に延在する第２インペラガイド壁５４を備えている。この、第１インペラガイド壁５２及び第２インペラガイド壁５４は、後述するインペラ１２の第２円盤部８８の外周端部の形状に沿って形成されている。
【００２８】
また、モータケース２２は、第１凹部４２の第２インペラガイド壁５４の端部から段差部５６を介してモータケース２２の径方向外側に延在する側壁５８を備えている。また、図３（Ｂ）に示されるように、モータケース２２は、側壁５８の径方向外側の端部からモータ１８の出力軸７６の軸線方向（矢印Ａ方向）に向かって先細りに形成されたテーパ部６０を備えている。換言すると、モータケース２２の外周壁６２の端部にテーパ部６０が設けられている構成である。このテーパ部６０が上記ポンプケース１６のテーパ部４０と嵌合する。
【００２９】
図３（Ａ）に示されるように、モータケース２２の他方の端部に形成された第２凹部４４は、上記第１凹部４２と反対方向に開口したＵ字状断面を成している。具体的には、第２凹部４４は、円形の底壁６４を備えている。この底壁６４には回路部２０を固定する図示しない固定部が形成されている。また、第２凹部４４は、底壁６４の径方向外側の端部からモータ１８の出力軸７６の軸線方向（矢印Ａ方向）と反対方向に延在する内周壁６６を備えている。
【００３０】
また、モータケース２２は、第２凹部４４の内周壁６６の端部と外周壁６２とを繋ぐ傾斜壁６８を備えている。この傾斜壁６８に対してカバー２４の取付部７０が接合される構成である。
【００３１】
また、モータケース２２は、外周壁６２の径方向外側に突出して形成された外部電源接続部７２を備えている。この、外部電源接続部７２には外部電源を回路部２０に供給するための供給端子７４が設けられている。
【００３２】
（モータ）
図４に示されるように、モータ１８は、出力軸７６、ロータ７８及びステータ８０を主要な要素として構成されている。
【００３３】
出力軸７６は、円柱状の鋼材に浸炭処理等の表面処理が施されることにより構成されており、その一方の端部は上記モータケース２２の軸支部４８に挿入される回転軸部８２とされている。即ち、出力軸７６は軸支部４８に片持ち支持されている構成である。
【００３４】
ロータ７８は、上記出力軸７６の径方向外側に配置された圧肉円筒状を成している。また、このロータ７８の内部には、その周方向に沿って複数のマグネット８４が設けられている。さらに、このロータ７８はロータ保持部材８６を介して出力軸７６に固定されている。
【００３５】
また、ロータ７８には、モータ１８の出力軸７６を軸中心する円盤状の第２円盤部８８が接続部９０を介して一体形成されている、また、この第２円盤部８８にはその周方向に沿って複数のブレード９２が立設されている。さらにこの複数のブレード９２の端部には中心部に貫通孔９４を備えた円盤状の第１円盤部９６が接合されている。以上説明した、第１円盤部９６、第２円盤部８８及び複数のブレード９２によってインペラ１２が構成されている。
【００３６】
ステータ８０は、図示しない導電性の巻線が、環状に形成された継鉄に巻回されることにより構成されている。また、ステータ８０は上記ロータ７８を囲うように配置されており、このステータ８０が界磁する磁界を受けて、ロータ７８が出力軸７６を軸中心として回転する。このロータ７８の回転に伴い、ロータ７８に接続されたインペラ１２が回転する構成である。また、ステータ８０はモータケース２２に鋳込まれることにより固定されている（図３参照）。
【００３７】
次に、本発明の要部であるポンプケース１６とモータケース２２との接合部９８について説明する。
【００３８】
（接合部）
図５に示されるように、ポンプケース１６に設けられたテーパ部４０とモータケース２２に設けられたテーパ部６０とがモータ１８の出力軸７６の軸線方向（矢印Ａ方向）にテーパ嵌合される。次いで、ポンプケース１６に設けられたテーパ部４０とモータケース２２に設けられたテーパ部６０とがレーザー溶着にて接合されることにより接合部９８は構成されている。
【００３９】
本実施形態では、ポンプケース１６はレーザー透過性の樹脂にて形成されており、モータケース２２はレーザー吸収性の樹脂にて形成されている。この場合、外部からポンプケース１６の開放端部３８にレーザーを照射すると、モータケース２２のテーパ部６０の表面（即ちポンプケース１６に設けられたテーパ部４０とモータケース２２に設けられたテーパ部６０との間）にてレーザーを吸収して発熱する。この熱によって、ポンプケース１６に設けられたテーパ部４０とモータケース２２に設けられたテーパ部６０との間には溶着部１００が形成される。また、本実施形態では、溶着部１００はポンプケース１６に設けられたテーパ部４０とモータケース２２に設けられたテーパ部６０との間の全周に連続して設けられている。
【００４０】
（本実施形態の作用並びに効果）
次に、本実施形態の作用並びに効果について説明する。
【００４１】
図１に示された本実施形態の電動ポンプ１０は、一例としてエンジンの冷却水を循環するためのポンプとして用いられる。この場合、ポンプケース１６に設けられた出口管２８には、エンジンの冷却水導入口に接続された配管（図示省略）が接続され、また出口管２８には、熱交換器の冷却水出力口に接続された配管（図示省略）が接続される。さらに、外部電源を供給する端子（図示省略）が電動ポンプ１０の外部電源接続部７２に接続される。この状態でエンジン内部の冷却水の温度が上がり、電動ポンプ１０が作動すると、モータ１８の回転に伴いインペラ１２が回転する。これに伴い、ポンプ部１４が駆動され、ポンプケース１６の入口管２６から流入した冷却水が出口管２８に向けて圧送される。
【００４２】
ここで、本実施形態では、ポンプケース１６のテーパ部４０とモータケース２２のテーパ部６０とが、モータ１８の出力軸７６の軸線方向（矢印Ａ方向）にテーパ嵌合されるため、ポンプケース１６とモータケース２２との接合部９８が電動ポンプ１０の径方向外側に突出することが抑制される。換言すると、電動ポンプ１０の外径の小径化をすることができる。
【００４３】
また、本実施形態では、先細りに形成されテーパ部６０が末広がりに形成されたテーパ部４０に挿入及び嵌合される。従って、先細りに形成されテーパ部６０が末広がりに形成されたテーパ部４０に挿入される際に、モータケース２２に対するポンプケース１６の位置を正規の位置へガイドしながら、ポンプケース１６のテーパ部４０とモータケース２２のテーパ部６０とを嵌合させることができる。
【００４４】
さらに、本実施形態では、接合部９８における溶着がポンプケース１６のテーパ部４０とモータケース２２のテーパ部６０との間の全周に連続して施されている。そのため、別途シール材を設けることなく、ポンプケース１６とモータケース２２との接合部９８におけるシール性を確保することができる。
【００４５】
また、本実施形態では、ポンプケース１６とモータケース２２との接合部９８がレーザー溶着にて接合されているため、例えばオービタル溶着等により接合した場合と比べ、均一で高い溶着強度を得ることができる。その結果、溶着部におけるシール性や接合強度をさらに向上させることができる。
【００４６】
（第１変形例）
次に、図６を用いて第１変形例に係る接合部について説明する。なお、上記実施形態と同一の部材については同一の符号を付して、その説明を省略する。
【００４７】
図６（Ａ）及び（Ｂ）に示されるように、本変形例に係る接合部１０２は、ポンプケース１６のテーパ部４０とモータケース２２のテーパ部６０とが圧入嵌合されて接合されていることに特徴がある。
【００４８】
図６（Ａ）に示されるように、ポンプケース１６に形成されたテーパ部４０の先端４１の内径は、モータケース２２に形成されたテーパ部６０の基端６１の外径よりも半径ｄだけ小さく形成されている。そのため、ポンプケース１６のテーパ部４０をモータケース２２のテーパ部６０に嵌合させると、ポンプケース１６の開放端部３８の半径はｄだけ径方向外側に拡開する。即ち、ポンプケース１６のテーパ部４０とモータケース２２のテーパ部６０とが締め代ｄを有して圧入嵌合されている構成である。この状態で、ポンプケース１６のテーパ部４０とモータケース２２のテーパ部６０とがレーザー溶着にて接合されることにより接合部１０２は構成されている。
【００４９】
（本変形例の作用並びに効果）
本変形例に係る接合部１０２では、ポンプケース１６のテーパ部４０とモータケース２２のテーパ部６０とが圧入嵌合されているため、電動ポンプ１０内を流れる流体が接合部１０２から漏れ出してしまうことをより一層抑制できる。即ち、接合部１０２におけるシール性をより一層向上させることができる。
【００５０】
（第２変形例）
次に、図７を用いて第２変形例に係る接合部について説明する。なお、上記実施形態と同一の部材については同一の符号を付して、その説明を省略する。
【００５１】
図７（Ａ）に示されるように、本変形例に係る接合部１０４では、係止溝１０６がモータケース２２に設けられると共に、該係止溝１０６に係止される係止突起１０８がポンプケース１６に設けられていることに特徴がある。
【００５２】
係止溝１０６はモータケース２２の径方向外側に開口した角溝形状を成しており、またこの係止溝１０６はテーパ部６０の基端６１に隣接してかつモータケース２２の全周に渡って設けられている。また、係止溝１０６は、上壁１１０、下壁１１２及びこの上壁１１０と下壁１１２とを繋ぐ底壁１１４を備えている。
【００５３】
係止突起１０８は、開放端部３８の先端からポンプケース１６の径方向内側に突出形成されており、また開放端部３８の先端の全周に渡って設けられている。さらに、係止突起１０８は、上壁１１６、下壁１１８及びこの上壁１１６と下壁１１８とを繋ぐ先端壁１２０を備えている。さらに、先端壁１２０の内径は、上記係止溝１０６の底壁１１４の外径と略同一の内径とされかつモータケース２２のテーパ部６０の基端６１の外径よりも小さな内径とされている。
【００５４】
図７（Ｂ）に示されるように、ポンプケース１６のテーパ部４０をモータケース２２のテーパ部６０に嵌合させる場合、先ず、ポンプケース１６の開放端部３８に形成された係止突起１０８がモータケース２２のテーパ部６０上をスライドする。この場合、開放端部３８はその径方向外側に弾性変形する。次いで、図７（Ｃ）に示されるように、係止突起１０８がモータケース２２のテーパ部６０を乗り越えると、開放端部３８が弾性復元する。その結果、係止突起１０８がモータケース２２の係止溝１０６に係止される構成である。さらに、この状態で、ポンプケース１６のテーパ部４０とモータケース２２のテーパ部６０とがレーザー溶着にて接合されることにより接合部１０４は構成されている。
【００５５】
（本変形例の作用並びに効果）
【００５６】
電動ポンプ１０を作動させると、電動ポンプ１０の内部には該電動ポンプ１０の内部を流れる流体の圧力が生じる。この圧力を受けて、ポンプケース１６のテーパ部４０とモータケース２２のテーパ部６０との間には、両者の嵌合が外れる方向（矢印Ｂ方向）への力が作用する（図７（Ｃ）参照）。
【００５７】
しかしながら、本変形例に係る接合部１０４では、係止突起１０８が係止溝１０６に係止されているため、ポンプケース１６のテーパ部４０とモータケース２２のテーパ部６０との嵌合が外れる方向への力を上記係止突起１０８及び係止溝１０６に受け止めさせることができる。詳述すると、係止突起１０８の上壁１１６が係止溝１０６の上壁１１０に当接することにより、上記の流体の圧力による力を受け止めている。その結果、流体の圧力による力を溶着部１００にて受け止める必要がないため、該溶着部１００における流体のシール性を向上させることができると共に、ポンプケース１６とモータケース２２との接合強度の余裕度を向上させることができる。
【００５８】
なお、本実施形態では、テーパ部４０とテーパ部６０とがテーパ嵌合された例について説明してきたが、本発明はこれに限定されず、例えば、ポンプケース１６の開放端部３８の開口方向に先細りとされたテーパ部とモータケース２２の側壁５８の径方向外側の端部からモータ１８の出力軸７６の軸線方向（矢印Ａ方向）に向かって末広がりに形成されたテーパ部とがテーパ嵌合されても良い。この場合、ポンプケース１６の開放端部３８を開口変形させながら、ポンプケース１６側のテーパ部とモータケース側のテーパ部とを嵌合させる構成となる。
【００５９】
また、本実施形態では、ポンプケース１６のテーパ部４０とモータケース２２のテーパ部６０との間の全周に連続して熱溶着が施された例について説明してきたが、本発明はこれに限定されず、例えば、部分的に溶着を施しても良い。このように、熱溶着を全集に施すか、あるいは部分的に施すかは接合部の接合強度やシール性等を考慮して適宜設定すればよい。
【００６０】
さらに、上記実施形態及び変形例では、レーザー溶着にてポンプケース１６のテーパ部４０とモータケース２２のテーパ部６０との間を溶着した例について説明してきたが、本発明はこれに限定されず、例えば、オービタル溶着等他の溶着方法を用いても良い。このように、溶着方法は生産設備やポンプケース１６及びモータケース２２の材料等を考慮して適宜設定すればよい。
【００６１】
また、第２変形例においては、係止突起１０８をポンプケース１６に形成し、また係止溝１０６をモータケース２２に形成した例について説明してきたが、本発明はこれに限定されず、係止突起１０８をモータケース２２に形成し、また係止溝１０６をポンプケース１６に形成した構成としても良い。
【００６２】
以上、本発明の一実施形態について説明したが、本発明は、上記に限定されるものでなく、その主旨を逸脱しない範囲内において上記以外にも種々変形して実施することが可能であることは勿論である。
【符号の説明】
【００６３】
１０      電動ポンプ
１２      インペラ
１４      ポンプ部
１６      ポンプケース
１８      モータ
２２      モータケース
４０      テーパ部
６０      テーパ部
６２      外周壁
７６      出力軸
９８      接合部
１００      溶着部
１０２      接合部
１０４      接合部
１０６      係止溝
１０８      係止突起
【図１】
2013072344.tif 000003
【図２】
2013072344.tif 000004
【図３】
2013072344.tif 000005
【図４】
2013072344.tif 000006
【図５】
2013072344.tif 000007
【図６】
2013072344.tif 000008
【図７】
2013072344.tif 000009